(57)【要約】【課題】写真、絵画等を飾るために用いられる額において、人目を十分に引くことが可能であるとともに、長期間経過しても飽きがくることのない額を提供すること。【解決手段】  複数本の長尺状のフレーム材を略多角形状に枠組みすることにより形成されるフレーム（２）と、該フレーム（２）内に支持される透明体（３）と、該透明体（３）の裏面側に重ね合わされる配置で前記フレーム（２）内に支持される裏板（４）と、前記フレーム（２）の表面側任意の箇所に装着されるホログラムシート（５）と、を具備したことを特徴としており、これにより、見る角度によって色や模様が変化するホログラムシートの効果とも相まって、額全体を目立たせることができるとともに、長期間の使用によっても飽きることがなく人目を引くことが可能な額にすることができる。【選択図】図１
0003104479.tif 000002
【実用新案登録請求の範囲】
【請求項１】
複数本の長尺状のフレーム材を略多角形状に枠組みすることにより形成されるフレーム（２）と、
該フレーム（２）内に支持される透明体（３）と、
該透明体（３）の裏面側に重ね合わされる配置で前記フレーム（２）内に支持される裏板（４）と、
前記フレーム（２）の表面側任意の箇所に装着されるホログラムシート（６）と、を具備したことを特徴とする額。
【請求項２】
前記フレーム（２）の表面側全域にホログラムシート（６）を装着したことを特徴とする請求項１に記載の額。
【考案の詳細な説明】
【技術分野】
【０００１】
本考案は、写真、絵画等を挟み込んで支持するための額に係り、より詳しくは、フレーム表面の任意の箇所にホログラムシートを装着した額に関する。
【背景技術】
【０００２】
従来から、写真、絵画等を壁等に飾る場合には額が用いられている。即ち、この額は、長尺状のフレーム材を多角形状に枠組みすることにより構成されたフレームと、この多角形状に枠組みされたフレーム内に支持されるとともに、写真、絵画等を挟み込んで支持することが可能な透明体および裏板を備えており、透明体と裏板の間に写真、絵画等を挟み込むことにより額に写真、絵画等を支持し、その後この額を壁等に掛けることにより、写真、絵画等を所望する箇所に飾ることを可能としている。
【０００３】
ここで、従来から一般的に用いられている額について図面を参照して説明すると、図４は従来から用いられている額に絵画等を装着した状態の縦断側面を示す断面図であり、図において３１が従来の額である。
【０００４】
そして、この従来から用いられている額３１では、長尺状のフレーム材を、多角形状、より具体的には四角形状に枠組みしたフレーム３２を備えている。
【０００５】
また、このフレーム３２は、裏面における内周側全域に載置棚部３２０１が形成されているとともに、この載置棚部３２０１に周縁部が載置される配置において、前記フレーム３２内には透明体３３が係止されている。
【０００６】
更に、この透明体３３の裏面には、透明体３３とほぼ同一の形状寸法を有する裏板３４が重ねられており、この裏板３４は、その裏面において、前記フレーム３２の裏面に回動自在に備えた、「トンボ」と呼ばれる係止部材３６によって支持されており、これにより、前記フレーム３２内には透明体３３及び裏板３４が係止されている。
【０００７】
そして、使用に際しては、透明体３３及び裏板３４によって絵画、写真等３５を挟み込んだ状態において、透明体３３、絵画、写真等３５、および裏板３４を前記フレーム３２内に係止し、この状態で、額３１を壁等に引っ掛け、これにより写真、絵画等を所望する箇所に装着して飾ることを可能としている。
【考案の開示】
【考案が解決しようとする課題】
【０００８】
しかしながら、一般的に、従来から用いられている額は、写真、絵画等を所望する箇所に飾ることのみを目的としているため、これを用いて壁等に写真、絵画等を飾った場合には、静的な飾りでしか無い。そのために、絵画展、写真展等の場合には格別、室内等に飾った場合には、時間の経過とともに飽きがきてしまうという問題点があった。
【０００９】
また、従来から、写真、絵画等のほかに、例えば飲食店等において、広告等の手段として、商品の写真等を額に入れて店内、店先に飾ることが行われているが、かかる場合、写真等に工夫を凝らした場合でも、結局は静的な広告手段であり変化に乏しいため、人目を引きづらいという問題点が考えられる。
【００１０】
そこで、本考案は、写真、絵画等を飾るために用いられる額において、人目を十分に引くことが可能であるとともに、長期間経過しても飽きがくることを防止可能とする額を提供することを課題としている。
【課題を解決するための手段】
【００１１】
本考案の額は、複数本の長尺状のフレーム材を略多角形状に枠組みすることにより形成されるフレームと、該フレーム内に支持される透明体と、該透明体の裏面側に重ね合わされる配置で前記フレーム内に支持される裏板と、前記フレームの表面側任意の箇所に装着されるホログラムシートと、を具備したことを特徴としている。
【考案の効果】
【００１２】
近年、三次元画像としてのホログラムが脚光を浴びており、各種の分野において用いられている。そして、最近になり、このホログラムを描いたシートとしてのホログラムシートが提供されており、このホログラムシートによれば、シートに描かれた模様等が立体的に見えるとともに、光の反射とも相まって、見る角度によって模様が変化するという特徴を有している。
【００１３】
そのために、このホログラムシートをフレームの表面に装着した本考案では、このホログラムシートの効果により、額全体を目立たせることができ、強く人目を引くことができるとともに、長期間に亘って人目を引くことが可能となる。
【００１４】
また、例えば風景画、風景写真等を描いたホログラムシートを用いた場合においては、より強く人目を引くことが可能となる。
【考案を実施するための最良の形態】
【００１５】
本考案の額では、長尺状のフレーム材を多角形状に枠組みすることによりフレームが形成されるとともに、このフレーム内には、透明体および裏板が係止されており、この透明体および裏板間に、写真、絵画等を挟み込むことを可能としている。
【００１６】
そして、前記フレームの表面側における任意の箇所には任意の模様等を立体的に描いたホログラムシートが貼着されている。
【００１７】
ここで、前記ホログラムシートは、フレームの表面側のほぼ全域に装着するとよく、これにより、正面側のほかに、側面側から額を見た場合にもこれを目立たせることが可能となる。
【実施例１】
【００１８】
本考案の額の実施例について図面を参照して説明すると、図１は、本実施例の額を正面側から見た斜視図であり、また図２は、本実施例の額を背面側から見た斜視図であり、更に、図３は本実施例の額の縦断側面を示す図であり、図において１が本実施例の額である。また、図において５は、額１に挿装した絵画等である。
【００１９】
そして、本実施例の額１は、図に示すように、全体として略四角形状としている。即ち、本実施例の額１では、４本の長尺状のフレーム材を略四角形状に枠組みすることによりフレーム２が形成されており、このフレーム２内に、透明体３および裏板４が支持され、この透明体３と裏板４との間に、写真、絵画等５を挟み込むとともに、前記フレーム２に回動自在に装着した係止部材７によって裏板４をフレーム２に係止することにより、額１の内周側に、写真、絵画等５を装着可能としている。
【００２０】
ここで、図３において、前記フレーム２には、その裏面において、内周側全域に亘って載置棚部２０１が形成されており、この載置棚部２０１上に、透明体３および裏板４の周縁部を載置可能としている。
【００２１】
そして、前記載置棚部２０１上に透明体３の周縁部を載置するとともに、この透明体３に重ね合わせるような配置で、裏板４の周縁部を前記載置棚部２０１上に載置して、更に、裏板４をとんぼ等の係止部材７でフレーム２に係止して、これによりフレーム２内に裏板４および透明体３を支持可能としている。そして、使用に際しては、透明体３と裏板４間に写真、絵画等５を挟み込むことを可能としている。
【００２２】
次に、図１乃至図３において６はホログラムシートであり、本実施例における額１では、前記フレーム２の表面における、正面側及び側面側全域に、ホログラムシート６を貼着し、これにより、従来の静的な額と異なり、単なる装飾品としての域を越えた額にしている。
【００２３】
即ち、前述したように、このホログラムシートは、シートに描かれた模様等が立体的に見えるとともに、光の反射とも相まって、見る角度によって色や模様が変化するという特徴を有している。そのために、このホログラムシートをフレームの表面に貼着した本実施例の額では、このホログラムシートの効果により、額全体を目立たせることができ、また、見る角度によって色や模様が変化するために、長期間の使用によっても飽きることのない額にすることが可能である。
【００２４】
なお、本実施例において用いた前記ホログラムシート６としては、一般的に市販されているものを用いており、その詳細な構造等の説明は省略する。
【００２５】
また、前述の実施例では、フレーム２の表面における、正面側及び側面側にホログラムシート６を貼着した形態を説明したが、ホログラムシートを貼着する箇所は特に限定されず、フレーム２の表面における任意の箇所でよい。従って、正面側のみにホログラムシート６を貼着してもよく、また側面側のみにホログラムシート６を貼着してもよい。
【産業上の利用可能性】
【００２６】
本考案の額では、フレーム表面の任意の箇所にホログラムシートを貼着し、これにより額全体を目立たせるとともに、長期間の使用でも飽きることのない額としているため、とんぼ等の係止手段によって裏板をフレームに係止する、いわゆる一般的な額の他に、フレーム自体を回動して写真、絵画等を収納可能なフロントオープン式のパネル等にも適用可能である。
【図面の簡単な説明】
【００２７】
【図１】本考案の額の実施例の正面側斜視図である。
【図２】本考案の額の実施例の背面側斜視図である。
【図３】本考案の額の実施例の縦断側面図である。
【図４】従来の額を説明するための図である。
【符号の説明】
【００２８】
１    額
２    フレーム
３    裏板
４    透明体
５    絵画等
６    ホログラムシート
７    係止部材（トンボ）
【図１】
0003104479.tif 000003
【図２】
0003104479.tif 000004
【図３】
0003104479.tif 000005
【図４】
0003104479.tif 000006